(57)【要約】【課題】チェスト本体への引出部の出し入れを操作性よく行うことができ、しかも安価に製造可能なチェスト及びチェスト用側板を提供する。【解決手段】正面側から見て、前面左側及び前面右側にそれぞれ配置される前面左側支柱１１及び前面右側支柱１２（第１の支柱）と、後面左側及び後面右側にそれぞれ配置される後面左側支柱１３及び後面右側支柱１４（第２の支柱）とを有するチェスト本体と、チェスト本体の左右の側に取り付けられる側板５と、チェスト本体の前面側から、第１の支柱と第２の支柱とで囲まれる空間部に出し入れ自在に収容される引出部とを備える。側板５のチェスト本体左右方向の内側を向いた内側面５ａには、引出部の出し入れのための移動を案内するガイド部が設けられている。【選択図】図３
0003197307.tif 000002
【実用新案登録請求の範囲】
【請求項１】
正面側から見て、前面左側及び前面右側にそれぞれ配置される第１の支柱と、後面左側及び後面右側にそれぞれ配置される第２の支柱とを有するチェスト本体と、
前記チェスト本体の左右の側に取り付けられる側板と、
前記チェスト本体の前面側から、前記第１の支柱と前記第２の支柱とで囲まれる空間部に出し入れ自在に収容される引出部とを備え、
前記側板の前記チェスト本体左右方向の内側を向いた内側面には、前記引出部の前記出し入れのための移動を案内するガイド部が設けられているチェスト。
【請求項２】
前記ガイド部は、
前記チェスト本体前後方向に沿って延びる第１のレール部と、
前記第１のレール部の上面に設けられて、前記第１のレール部を補強する補強部とを有する請求項１に記載のチェスト。
【請求項３】
前記補強部は、
前記第１のレール部の上面に設けられ、前記チェスト本体前後方向に沿って延びる補強板と、
前記チェスト本体前後方向に沿って互いに間隔をおいて配設された複数の補強片とを有し、
前記複数の補強片の各々は、前記第１のレール部の上面と、前記補強板の前記チェスト本体左右方向を向く面とにそれぞれ固定されている請求項２に記載のチェスト。
【請求項４】
前記側板は、前記チェスト本体の左右の側それぞれにおいて、前記第１の支柱の前記チェスト本体左右方向の外側を向いた外側面から、前記第２の支柱の前記チェスト本体左右方向の外側を向いた外側面までを連続して覆う請求項１から請求項３の何れか一項に記載のチェスト。
【請求項５】
前記側板は、前記第１の支柱に取り付けられる第１の取付部と、前記第２の支柱に取り付けられる第２の取付部とを有する請求項１から請求項４の何れか一項に記載のチェスト。
【請求項６】
前記第１の取付部は前記チェスト本体前後方向で前記第１の支柱を挟み込み、
前記第２の取付部は前記チェスト本体前後方向で前記第２の支柱を挟み込む請求項５に記載のチェスト。
【請求項７】
前記チェスト本体は、前記チェスト本体の左右の側それぞれにおいて、前記第１の支柱の下部と前記第２の支柱の下部との間に配設された底梁部を有し、
前記底梁部の前記第１のレール部の下面と向かい合う位置には、前記引出部の前記出し入れのための移動を案内する第２のレール部が設けられている請求項１から請求項６の何れか一項に記載のチェスト。
【請求項８】
前記底梁部の上面には凹部が形成されており、
前記第１のレール部の下面には凸部が形成されており、
前記凹部に前記凸部が嵌合することによって、前記側板が前記底梁部に取り付けられる請求項７に記載のチェスト。
【請求項９】
前記凹部は、前記底梁部の上面に形成された前記チェスト本体左右方向に延びる溝部を有し、
前記溝部は、前記チェスト本体左右方向の外側の端部を開口することで前記凸部が挿入可能となっている請求項８に記載のチェスト。
【請求項１０】
正面側から見て、前面左側及び前面右側にそれぞれ配置される第１の支柱と、後面左側及び後面右側にそれぞれ配置される第２の支柱とを有するチェスト本体と、前記チェスト本体の前面側から、前記第１の支柱と前記第２の支柱とで囲まれる空間部に出し入れ自在に収容される引出部とを備えるチェストの、前記チェスト本体の左右の側に取り付けられるチェスト用側板であって、
側板本体と、
前記側板本体の前記チェスト本体左右方向の内側を向いた内側面に設けられ、前記引出部の前記出し入れのための移動を案内するガイド部と、を備えるチェスト用側板。
【考案の詳細な説明】
【技術分野】
【０００１】
本考案は、チェスト及びチェスト用側板に関する。
【背景技術】
【０００２】
この種の従来技術として、例えば特許文献１、２に開示されたものがある。
特許文献１には、引き出しボックスを引き出し自在に収納する収納本体の引出口以外の周面部に、物を掛け下げるためのフックやハンガーなどの係止体を係止し得る係止部を設けた収納ボックスが記載されている。また、この特許文献１には、周面部の枠窓を有する枠部に、板状の係止用板を着脱自在に架設した構成が記載されている。
特許文献２には、枠体に対して引出体を出し入れ自在に設けた収納装置であって、この引出体の後端部にして左右側面部に転動部を設け、この転動部が転動する被転動部を枠体の左右側面部に設けた構成が記載されている。
【先行技術文献】
【特許文献】
【０００３】
【特許文献１】特開２００２−３４７７５９号公報
【特許文献２】特許第５０１０６９６号公報
【考案の概要】
【考案が解決しようとする課題】
【０００４】
特許文献１に記載された収納ボックスでは、引き出しボックスを収納本体から出し入れする際に、引き出しボックスの底部と、収納本体の底フレームとが面接触しながら摺動することになる。引き出しボックスと底フレームは何れも合成樹脂からなり、合成樹脂同士が面接触しながら摺動することになる。このため、特許文献１に記載された引き出しボックスでは、引き出しボックスを出し入れする際の摺動抵抗が大きくて、操作性が低いという課題がある。
【０００５】
また、特許文献２に記載された収納装置では、収納装置の上下方向で向かい合う一対のレールで被転動部を構成するとともに、この被転動部が枠体の左右側部にそれぞれ一体となって形成されている。このような枠体を金型を用いた射出成型で形成する場合、金型の構成が複雑となり、製造コストが高くなりがちであるという課題がある。
そこで、この考案はこのような事情に鑑みてなされたものであって、チェスト本体への引出部の出し入れを操作性よく行うことができ、しかも安価に製造可能なチェスト及びチェスト用側板の提供を目的とする。
【課題を解決するための手段】
【０００６】
上記課題を解決するために、本考案の一態様に係るチェストは、正面側から見て、前面左側及び前面右側にそれぞれ配置される第１の支柱と、後面左側及び後面右側にそれぞれ配置される第２の支柱とを有するチェスト本体と、前記チェスト本体の左右の側に取り付けられる側板と、前記チェスト本体の前面側から、前記第１の支柱と前記第２の支柱とで囲まれる空間部に出し入れ自在に収容される引出部とを備え、前記側板の前記チェスト本体左右方向の内側を向いた内側面には、前記引出部の前記出し入れのための移動を案内するガイド部が設けられていることを特徴とする。
【０００７】
また、本考案の一態様に係るチェスト用側板は、正面側から見て、前面左側及び前面右側にそれぞれ配置される第１の支柱と、後面左側及び後面右側にそれぞれ配置される第２の支柱とを有するチェスト本体と、前記チェスト本体の前面側から、前記第１の支柱と前記第２の支柱とで囲まれる空間部に出し入れ自在に収容される引出部とを備えるチェストの、前記チェスト本体の左右の側に取り付けられるチェスト用側板であって、側板本体と、前記側板本体の前記チェスト本体左右方向の内側を向いた内側面に設けられ、前記引出部の前記出し入れのための移動を案内するガイド部と、を備えることを特徴とする。
【考案の効果】
【０００８】
本考案によれば、チェスト本体への引出部の出し入れを操作性よく行うことができ、しかも安価に製造可能なチェスト及びチェスト用側板を提供することができる。
【図面の簡単な説明】
【０００９】
【図１】本考案の実施形態に係るチェスト１００の構成例を示す斜視図である。
【図２】チェスト１００の構成例を示す平面図、正面図、底面図、左側面図及び右側面図である。
【図３】フレームユニット１０から側板５等を外した状態を示す斜視図である。
【図４】フレームユニット１０の構成例を示す斜視図である。
【図５】フレームユニット１０の左側面の下部を拡大して示す斜視図である。
【図６】フレームユニット１０の前面左側を拡大して示す斜視図である。
【図７】フレームユニット１０の前面右側を拡大して示す斜視図である。
【図８】前面右側転動部材３０を前面右側支柱１２に取り付けた状態を示す斜視図である。
【図９】側板５の構成例を示す斜視図である。
【図１０】側板５の構成例を示す平面図、正面図、底面図、左側面図、右側面図及び背面図である。
【図１１】フレームユニット１０に側板５を取り付けた状態を示す斜視図である。
【図１２】図１１をＸ−Ｘ’線で切断した断面を拡大して示す図である。
【図１３】凸部５９が溝部１５３に係止された状態を示す断面模式図である。
【図１４】フレームユニット１０の右側面に側板５を取り付けた状態を示す斜視図である。
【図１５】引出部７の構成例を示す背面図、平面図、正面図、左側面図、右側面図及び底面図である。
【図１６】引出部７から前面板とレール基板とを取り外した状態を示す斜視図である。
【図１７】右側レール基板９０の構成例を示す斜視図である。
【図１８】図１５（ｂ）をＹ−Ｙ’線で切断した断面を拡大して示す図である。
【図１９】引出部７がフレームユニット１０に出し入れ自在に収容されている状態を示す斜視図である。
【考案を実施するための形態】
【００１０】
以下、本考案の実施形態を図面を用いて説明する。なお、以下に説明する各図において、同一の構成を有する部分には同一の符号を付し、その繰り返しの説明は省略する。
＜構成＞
（１）全体構成
図１は、本考案の実施形態に係るチェスト１００の構成例を示す斜視図である。また、図２（ａ）〜（ｅ）は、チェスト１００の構成例を示す平面図、正面図、底面図、左側面図及び右側面図である。チェスト１００は、例えば衣類や小物を収納する収納具である。  図１〜図２（ｅ）に示すように、このチェスト１００は、チェスト本体１と、チェスト本体１の左側の側面（以下、左側面）と右側の側面（以下、右側面）とにそれぞれ取り付けられる側板５と、チェスト本体１の前面側からチェスト本体１内の空間部に出し入れ自在に収容される引出部７と、チェスト本体１の上部に取り付けられる天板９とを備える。
チェスト本体１の左側面に配置される側板５と、チェスト本体１の右側面に配置される側板５は、互いに同一の形状で同一の大きさを有する（すなわち、左右共通の側板である）。
【００１１】
なお、以下の説明では、チェスト１００を正面側から見て、チェスト本体１の前面と後面とを結ぶ方向をチェスト本体前後方向といい、チェスト本体１の左側面と右側面とを結ぶ方向をチェスト本体左右方向といい、チェスト本体１の上面と下面とを結ぶ方向をチェスト本体上下方向という。また、各図において、チェスト本体前後方向をＸ軸方で示し、チェスト本体左右方向をＹ軸方向で示し、チェスト本体上下方向をＺ軸方向で示す。
【００１２】
（２）チェスト本体
チェスト本体１はフレームからなり、例えば上下方向に連結された５個（すなわち、５段）のフレームユニット１０を備える。
図３は、フレームユニット１０から側板５と前面左側転動部材２０及び前面右側転動部材３０を外した状態を示す斜視図である。また、図４（ａ）及び（ｂ）は、フレームユニット１０の構成例を示す斜視図である。
【００１３】
図３〜図４（ｂ）に示すように、フレームユニット１０は、正面側から見て、前面左側に配置される前面左側支柱１１と、前面右側に配置される前面右側支柱１２と、後面左側に配置される後面左側支柱１３と、後面右側に配置される後面右側支柱１４とを有する。また、フレームユニット１０は、前面左側支柱１１の下部と後面左側支柱１３の下部との間に配設された左側底梁部１５と、前面右側支柱１２の下部と後面右側支柱１４の下部との間に配設された右側底梁部１６と、前面左側支柱１１の下部と前面右側支柱１２の下部との間に配設された前側底梁部１７と、後面左側支柱１３の下部と後面右側支柱１４の下部との間に配設された後側底梁部１８とを有する。
左側底梁部１５と右側底梁部１６と前側底梁部１７と後側底梁部１８とによって、外周の形状が矩形の底フレームが構成されている。また、この底フレームの四隅に、前面左側支柱１１と前面右側支柱１２と後面左側支柱１３と後面右側支柱１４とがそれぞれ配設されている。
【００１４】
前面左側支柱１１と前面右側支柱１２と後面左側支柱１３と後面右側支柱１４は、例えば、それぞれが四角柱状に形成されている。前面左側支柱１１の上端部には連結用凸部１０１が形成され、その下端部には図示しない連結用凹部が形成されている。同様に、前面右側支柱１２の上端部には連結用凸部１０２が形成され、その下端部には連結用凹部が形成されている。後面左側支柱１３の上端部には連結用凸部１０３が形成され、その下端部には連結用凹部が形成されている。後面左側支柱１３の上端部には連結用凸部１０４が形成され、その下端部には連結用凹部が形成されている。また、各連結用凸部１０１〜１０４は、前面左側支柱１１、前面右側支柱１２、後面左側支柱１３、後面右側支柱１４の各連結用凹部にそれぞれ嵌合可能な形状を有する。
これにより、チェスト１００において、下方に位置するフレームユニット１０の各連結用凸部１０１〜１０４は、その上方に位置するフレームユニット１０の各連結用凹部にそれぞれ嵌合することができ、２つのフレームユニット１０を上下方向で連結することが可能となっている。
【００１５】
また、天板９の下面にも、フレームユニット１０の各連結用凸部１０１〜１０４に嵌合可能な形状の連結用凹部（図示せず）が形成されている。これにより、最も上側（すなわち、最上段）に位置するフレームユニット１０の各連結用凸部１０１〜１０４は、天板９の下面に設けられた各連結用凹部にそれぞれ嵌合することができ、最上段のフレームユニット１０の上面側に天板９が取り付けることができる。
【００１６】
また、最も下側（すなわち、最下段）に位置するフレームユニット１０の、前面左側支柱１１と前面右側支柱１２と後面左側支柱１３と後面右側支柱１４の各下端部は、チェスト１００の脚部として機能する。図示しないが、これら各下端部の連結用凹部にキャスター等をそれぞれ取り付けてもよく、その場合は、チェスト１００を床面上で容易に移動させることができる。
【００１７】
（２．１）下側レール部
図５（ａ）及び（ｂ）は、フレームユニット１０の左側面の下部を拡大して示す斜視図である。図５（ａ）及び（ｂ）に示すように、左側底梁部１５の下部には下側レール部１５１が設けられている。この下側レール部１５１は、引出部７の出し入れのための移動（すなわち、引出部７のチェスト本体前後方向への移動）を案内するレール部である。下側レール部１５１の長手方向はチェスト本体前後方向に平行である。下側レール部１５１は、チェスト本体前後方向に沿って、チェスト本体１の前面側から後面側まで延設されている。
【００１８】
また、左側底梁部１５の上面１５ａには、チェスト本体左右方向に延びる溝部１５３が形成されている。この溝部１５３は、側板５を左側底梁部１５に取り付けるための溝部である。例えば、左側底梁部１５の上面１５ａのうち、チェスト本体前後方向の前面側の位置と、後面側の位置と、前面側と後面側の中間の位置とに、溝部１５３がそれぞれ形成されている。また、これら複数の溝部１５３は、チェスト本体左右方向の外側（すなわち、左側）の端部がそれぞれ開口している。
【００１９】
同様に、右側底梁部１６の下部にも下側レール部１６１（図４参照）が設けられている。この下側レール部１６１も、引出部７の出し入れのための移動を案内するレール部である。下側レール部１６１の長手方向はチェスト本体前後方向に平行である。下側レール部１６１は、チェスト本体前後方向に沿って、チェスト本体１の前面側から後面側まで延設されている。  
【００２０】
また、右側底梁部１６の上面１６ａにも、チェスト本体左右方向に延びる溝部１６３（図４参照）が形成されている。この溝部１６３は、側板５を右側底梁部１６に取り付けるための溝部である。例えば、右側底梁部１６の上面１６ａのうち、チェスト本体前後方向の前面側の位置と、後面側の位置と、前面側と後面側の中間の位置とに、溝部１６３がそれぞれ形成されている。そして、これら複数の溝部１６３は、チェスト本体左右方向の外側（すなわち、右側）の端部がそれぞれ開口している。
【００２１】
（２．２）係合部
図６（ａ）及び（ｂ）は、フレームユニット１０の前面左側を拡大して示す斜視図である。図６（ａ）及び（ｂ）に示すように、前面左側支柱１１のチェスト本体左右方向の内側を向く内側面１１ａには係合部１１０が設けられている。この係合部１１０は、チェスト本体上下方向で互いに離れて配設された上側係合部１１１及び下側係合部１１６を有する。上側係合部１１１は、下側に開口した第１開口部１１２を有する。また、下側係合部１１６は、上側に開口した第２開口部１１７を有する。
【００２２】
図７（ａ）及び（ｂ）は、フレームユニット１０の前面右側を拡大して示す斜視図である。図７（ａ）及び（ｂ）に示すように、前面右側支柱１２のチェスト本体左右方向の内側を向く内側面１２ａにも係合部１２０が設けられている。この係合部１２０も、チェスト本体上下方向で互いに離れて配設された上側係合部１２１及び下側係合部１２６を有する。上側係合部１２１は、下側に開口した第１開口部１２２を有する。また、下側係合部１２６は、上側に開口した第２開口部１２７を有する。
【００２３】
（２・３）フレームユニットの製造方法
上述したフレームユニット１０は合成樹脂により形成されている。例えば、金型を用いた射出成形技術により、前面左側支柱１１と、前面右側支柱１２と、後面左側支柱１３と、後面右側支柱１４と、左側底梁部１５と、右側底梁部１６と、前側底梁部１７と、後側底梁部１８とを一体に形成することができる。フレームユニット１０を形成するための金型として、チェスト本体上下方向に型開きされる金型を用いることができる。
【００２４】
（３）前面側の転動部材
図６（ａ）及び（ｂ）に示すように、係合部１１０には、前面左側転動部材２０が取り付けられる。前面左側転動部材２０は、ローラー２１と、ローラー２１をチェスト本体左右方向を向く軸回りに回転可能に支持する支持部材２２とを有する。例えば、支持部材２２には穴が設けられており、この穴には、ローラー２１の中心部を挿通した軸部２３が固定されている。これにより、ローラー２１と軸部２３は支持部材２２によって回転可能に支持されている。
【００２５】
また、支持部材２２は、上側に設けられた第１ストッパ部２４と、下側に設けられた第２ストッパ部２５とを有する。第１ストッパ部２４及び第２ストッパ部２５はそれぞれ、チェスト本体前後方向において、前端側が肉厚で後端側が薄いくさび形の形状を有する。
図６（ａ）及び（ｂ）の矢印で示すように、支持部材２２が、チェスト本体１の前面側から上側係合部１１１と下側係合部１１６との間のスペースに入り込むと、支持部材２２の第１ストッパ部２４が上側係合部１１１の第１開口部１１２に嵌合し、支持部材２２の第２ストッパ部２５が下側係合部１１６の第２開口部１１７に嵌合する。これにより、前面左側転動部材２０は前面左側支柱１１の内側面１１ａに取り付けられる。
【００２６】
また、図７（ａ）及び（ｂ）に示すように、係合部１２０には、前面右側転動部材３０が取り付けられる。前面右側転動部材３０は、ローラー３１と、このローラー３１をチェスト本体左右方向を向く軸回りに回転可能に支持する支持部材３２とを有する。例えば、支持部材３２には穴が設けられており、この穴には、ローラー３１の中心部を挿通した軸部３３が固定されている。これにより、ローラー３１と軸部３３は支持部材３２によって回転可能に支持されている。
【００２７】
また、支持部材３２は、上側に設けられた第１ストッパ部３４と、下側に設けられた第２ストッパ部３５とを有する。第１ストッパ部３４及び第２ストッパ部３５はそれぞれ、チェスト本体前後方向において、前端側が肉厚で後端側が薄いくさび形の形状を有する。
図７（ａ）及び（ｂ）の矢印で示すように、支持部材３２が、チェスト本体１の前面側から上側係合部１２１と下側係合部１２６との間のスペースに入り込むと、支持部材３２の第１ストッパ部３４が上側係合部１２１の第１開口部１２２に嵌合し、支持部材３２の第２ストッパ部３５が下側係合部１２６の第２開口部１２７に嵌合する。これにより、図８に示すように、前面右側転動部材３０は前面右側支柱１２の内側面１２ａに取り付けられる。
【００２８】
なお、図６（ａ）及び（ｂ）と、図７（ａ）及び（ｂ）とを比較して分かるように、前面左側転動部材２０の形状及び大きさと、前面右側転動部材３０の形状及び大きさは、面対称の関係にある。
また、上述した前面左側転動部材２０と前面右側転動部材３０は、合成樹脂等により形成されている。例えば、ローラー２１、３１と、支持部材２２、３２は合成樹脂により形成されている。また、軸部２３、３３は金属で形成されている。
【００２９】
（４）側板
図９（ａ）及び（ｂ）は、側板５の構成例を示す斜視図である。また、図１０（ａ）〜（ｆ）は、側板５の構成例を示す平面図、正面図、底面図、左側面図、右側面図及び背面図である。
図９（ａ）〜図１０（ｆ）に示すように、側板５は、側板本体５１と、側板本体５１のチェスト本体左右方向の内側を向いた内側面５ａに設けられ、引出部７の出し入れのための移動（すなわち、引出部７のチェスト本体前後方向への移動）を案内するガイド部５３とを備えるチェスト用側板である。
【００３０】
ガイド部５３は、チェスト本体前後方向に沿って延びる上側レール部５５と、上側レール部５５の上面５５ａに設けられて、上側レール部５５を補強する補強部５７と、上側レール部５５の下面５５ｂに設けられた凸部５９とを備える。また、補強部５７は、上側レール部５５の上面５５ａに設けられ、チェスト本体前後方向に沿って延びる補強板５７１と、チェスト本体前後方向に沿って互いに間隔をおいて配設された複数の補強片５７２とを有する。
【００３１】
補強板５７１は、例えば、上側レール部５５の上面５５ａに立てた状態で設けられている。ここで、立てた状態とは、補強板５７１の主面をチェスト本体左右方向に向け、補強板５７１の側面を上側レール部５５の上面５５ａに向けた状態のことを意味する。主面の面積は側面の面積よりも大きい。
また、複数の補強片５７２の各々は、上側レール部５５の上面５５ａと、補強板５７１のチェスト本体左右方向を向く面とにそれぞれ固定されている。例えば、複数の補強片５７２は、補強板５７１のチェスト本体左右方向の内側を向く内側面５７１ａ（後述の図１２参照）、又は、補強板５７１のチェスト本体左右方向の外側を向く外側面５７１ｂ（後述の図１２参照）と、上側レール部５５の上面５５ａとに固定されている。
【００３２】
また、上側レール部５５の下面５５ｂには、チェスト本体左右方向に延びる複数の凸部５９が形成されている。この凸部５９は、上述した左側底梁部１５の溝部１５３（又は、右側底梁部１６の溝部１６３）に嵌合するための部位である。この凸部５９は、上側レール部５５の下面に固定された係合部５９１（後述の図１３参照）と、係合部の先端（すなわち、下面から離れた側の端）に位置するストッパ部５９２（後述の図１３参照）とを有する。
【００３３】
また、図９（ａ）〜図１０（ｆ）に示すように、側板５は、前面左側支柱１１（又は、後面右側支柱１４）に取り付けられる第１の取付部６１と、後面左側支柱１３（又は、前面右側支柱１２）に取り付けられる第２の取付部６６とを有する。第１の取付部６１は、側板本体５１のチェスト本体前後方向の一方の側に設けられ、側板本体５１の内側面５ａの側へ突き出た一対の係止板６２、６３を有する。また、第２の取付部６６は、側板本体５１のチェスト本体前後方向の他方の側に設けられ、側板本体５１の内側面５ａの側へ突き出た一対の係止板６７、６８を有する。
また、側板５の下端部には、フレームユニット１０の底部に掛け止められる掛止部６９が設けられている。
側板５は合成樹脂により形成されている。例えば、金型を用いた射出成形技術により、側板５とガイド部とを一体に形成することができる。側板５を形成するための金型として、チェスト本体左右方向に型開きされる金型を用いることができる。
【００３４】
（４．１）側板の取付方法
（４．１．１）左側面に対して
図１１（ａ）及び（ｂ）は、フレームユニット１０に側板５を取り付けた状態を示す斜視図と、その一部を拡大して示す図である。また、図１２は、図１１をＸ−Ｘ’線で切断した断面を拡大して示す図である。フレームユニット１０の左側面に側板５を取り付ける方法は以下の通りである。すなわち、図３に示したように、フレームユニット１０の左側面と側板５の内側面５ａとを向かい合わせる。この状態で、図１２に示すように、側板５の下端部にある掛止部６９を左側底梁部１５の下端部に掛け止めるとともに、上側レール部５５の下面にある複数の凸部５９を左側底梁部１５の複数の溝部１５３（図５参照）にそれぞれ嵌合させる。この嵌合は、凸部５９を、溝部１５３のチェスト本体左右方向の外側に開口している端部から挿入させることで行う。凸部５９が溝部１５３に挿入されると、図１３に示すように、凸部５９のストッパ部５９２が溝部１５３の上側の開口縁部に係止される。これにより、側板５は左側底梁部１５に固定され、チェスト本体上下方向で、側板５がフレームユニット１０から外れないようにすることができる。
【００３５】
また、上記のように側板５を左側底梁部１５に取り付けるとともに、側板５を前面左側支柱１１と後面左側支柱１３とに取り付ける。この取付けは、側板５の第１の取付部６１で前面左側支柱１１を挟み込むとともに、側板５の第２の取付部６６で後面左側支柱１３を挟み込むことにより行う。
例えば、第１の取付部６１による前面左側支柱１１の挟み込みは、一対の係止板６２、６３の間に前面左側支柱１１を押し込むことにより行う。これにより、前面左側支柱１１をチェスト本体前後方向で挟み込む。また、第２の取付部６６による後面左側支柱１３の挟み込みは、一対の係止板６７、６８の間に後面左側支柱１３を押し込むことにより行う。これにより、後面左側支柱１３をチェスト本体前後方向で挟み込む。このように、前面左側支柱１１と後面左側支柱１３とをチェスト本体前後方向で挟み込むことにより、側板５は前面左側支柱１１と後面左側支柱１３とに固定され、チェスト本体前後方向で、側板５がフレームユニット１０から外れないようにすることができる。
【００３６】
なお、図９（ａ）に示したように、第１の取付部６１が有する係止板６２、６３の各端部には、爪部６２１、６３１がそれぞれ設けられている。そして、第１の取付部６１が前面左側支柱１１を挟み込むと、爪部６２１、６３１が前面左側支柱１１の内側面１１ａ（図１１参照）に回り込むようになっている。また、第２の取付部６６が有する係止板６７、６８の各端部にも、爪部６７１、６８１がそれぞれ設けられている。そして、第２の取付部６６が後面左側支柱１３を挟み込むと、爪部６２１、６３１が前面左側支柱１３の内側面１３ａ（図１１参照）に回り込むようになっている。これにより、チェスト本体左右方向でも、側板５がフレームユニット１０から容易には外れないようにすることができる。
【００３７】
（４．１．２）右側面に対して
図１４（ａ）及び（ｂ）は、フレームユニット１０の右側面に側板５を取り付けた状態を示す斜視図と、その一部を拡大して示す図である。フレームユニット１０の右側面に側板５を取り付ける方法は、上述した左側面への取付方法と同様である。
すなわち、図３に示したように、フレームユニット１０の右側面と側板５の内側面５ａとを向かい合わせる。この状態で、側板５の下端部にある掛止部を右側底梁部１６の下端部に掛け止めるとともに、上側レール部５５の下面にある複数の凸部５９（図９参照）を右側底梁部１６の複数の溝部１６３（図７参照）にそれぞれ嵌合させる。この嵌合は、凸部５９を、溝部１６３のチェスト本体左右方向の外側に開口している端部から挿入させることで行う。これにより、側板５は右側底梁部１６に固定され、チェスト本体上下方向で、側板５がフレームユニット１０から外れないようにすることができる。
【００３８】
また、上記のように側板５を右側底梁部１６に取り付けるとともに、側板５を前面右側支柱１２と後面右側支柱１４とに取り付ける。この取付けは、側板５の第１の取付部６１で後面右側支柱１４を挟み込むとともに、側板５の第２の取付部６６で前面右側支柱１２を挟み込むことにより行う。これにより、側板５は前面右側支柱１２と後面右側支柱１４とに固定され、チェスト本体前後方向で、側板５がフレームユニット１０から外れないようにすることができる。
【００３９】
（４．２）側板取付後のフレームユニット
図１１（ａ）に示したように、フレームユニット１０の左側面に側板５が取り付けられると、この側板５は、前面左側支柱１１のチェスト本体左右方向の外側を向いた外側面（すなわち、内側面１１ａの反対側の面）から、後面左側支柱１３のチェスト本体左右方向の外側を向いた外側面（すなわち、内側面１３ａの反対側の面）までを連続して覆う。また、図１１（ｂ）に示すように、この側板５の上側レール部５５の下面５５ｂと、左側底梁部１５の下側レール部１５１の上面１５１ａとが互いに離間した状態で向かい合う。この上側レール部５５の下面５５ｂと下側レール部１５１の上面１５１ａとの間に、後述する左側レール基板８０のローラー（すなわち、引出部７の左側ローラー）が配置される。
【００４０】
同様に、図１４（ａ）に示したように、フレームユニット１０の右側面に側板５が取り付けられると、この側板５は、前面右側支柱１２のチェスト本体１左右方向の外側を向いた外側面（すなわち、内側面１２ａの反対側の面）から、後面右側支柱１４のチェスト本体左右方向の外側を向いた外側面（すなわち、内側面１４ａの反対側の面）までを連続して覆う。また、図１４（ｂ）に示すように、この側板５の上側レール部５５の下面５５ｂと、右側底梁部１６の下側レール部１６１の上面１６１ａとが互いに離間した状態で向かい合う。この上側レール部５５の下面５５ｂと下側レール部１６１の上面１６１ａとの間に、後述する右側レール基板９０のローラー９３（すなわち、引出部７の右側ローラー）が配置される。
【００４１】
（５）引出部
図１５（ａ）〜（ｆ）は、引出部７の構成例を示す背面図、平面図、正面図、左側面図、右側面図及び底面図である。図１６（ａ）及び（ｃ）は引出部７から前面板とレール基板とを取り外した状態を示す斜視図と、その一部を拡大して示す図である。
引出部７は、チェスト本体の前面側から、前面左側支柱と前面右側支柱と後面左側支柱と後面右側支柱とで囲まれる空間部に出し入れ自在に収容されるチェスト用引出部である。図１５（ａ）〜図１６（ｂ）に示すように、この引出部７は、引出部本体７１と、引出部本体７１の前面側に取り付けられる前面板７３と、引出部本体７１の左側の側部の外側面に取り付けられる左側レール基板８０と、引出部本体７１の右側の側部の外側面に取り付けられる右側レール基板９０とを備える。
【００４２】
（５．１）引出部本体
引出部本体７１は、平面視による形状が矩形で、その上側が開口した容器である。この引出部本体７１の左右の側部のうち底面側の隅部に段差部がそれぞれ設けられている。そして、左側の側部の段差部に左側レール基板８０が取り付けられ、右側の側部の段差部に右側レール基板９０が取り付けられるようになっている。
【００４３】
図１６（ａ）〜（ｃ）に示すように、引出部本体７１の右側の側部において、段差部７１１には、チェスト本体上下方向の下側を向く開口部７１３と、チェスト本体左右方向の外側に突出した凸部７１５とが設けられている。凸部７１５は、下端側が薄く上端側が肉厚のくさび形の形状を有する。開口部７１３は複数設けられている。これら複数の開口部７１３はチェスト本体前後方向に沿って互いに離れた状態で配設されている。また、凸部７１５も複数設けられている。これら複数の凸部７１５はチェスト本体前後方向に沿って互いに離れて配設されている。
【００４４】
図示しないが、引出部本体７１の左側の側部においても、右側の側部と同様に、段差部が設けられている。そして、この段差部に複数の開口部と複数の凸部とが設けられている。
引出部本体７１は合成樹脂により形成されており、例えば、金型を用いた射出成形技術により形成することができる。引出部本体７１を形成するための金型として、チェスト本体上下方向に型開きされる金型を用いることができる。
【００４５】
（５．２）レール基板
図１７（ａ）及び（ｂ）は、右側レール基板９０の構成例を示す斜視図である。図１７（ａ）は右側レール基板９０を右側から見た斜視図であり、図１７（ｂ）は右側レール基板９０を左側（すなわち、被取付面の側）から見た斜視図である。
図１７（ａ）及び（ｂ）に示すように、右側レール基板９０は、レール基板本体９１と、レール基板本体９１のチェスト本体前後方向の後端部に設けられ、チェスト本体左右方向を向く軸回りに回転可能に支持されたローラー９３とを備える。レール基板本体９１には、レール部９５と、係合部９７と、凹部９９とが形成されている。レール部９５は、レール基板本体９１の上部に設けられ、チェスト本体前後方向に平行となるように延設されている。
【００４６】
係合部９７は、チェスト本体上下方向の上側を向いている。例えば、係合部９７は、上側を向いたＬ字状の鉤部である。この鉤部の下部の横方向を向く端部はレール基板本体９１に固定されており（例えば、一体化）しており、鉤部の上部の端部は上側を向いている。係合部９７は複数設けられている。複数の係合部９７はチェスト本体前後方向に沿って互いに離れて配設されている。
【００４７】
凹部９９は、例えばレール基板本体９１を貫く貫通穴である。凹部９９も複数設けられている。複数の凹部９９は、チェスト本体前後方向に沿って互いに離れて配設されている。
同様に、左側レール基板８０も、レール基板本体と、レール基板のチェスト本体前後方向の後端部に設けられ、チェスト本体左右方向を向く軸回りに回転可能に支持されたローラーとを備える。レール基板本体には、レール部と、係合部と、凹部とが形成されている。レール部は、レール基板本体の上部に設けられ、チェスト本体前後方向に平行となるように延設されている。
左側レール基板８０の形状及び大きさは、右側レール基板９０の形状及び大きさと面対称の関係にある。また、左側レール基板８０及び右側レール基板９０のそれぞれにおいて、レール基板本体は例えば金属からなり、ローラーは例えば合成樹脂からなる。
【００４８】
図１８は、図１５（ｂ）をＹ−Ｙ’線で切断した断面を拡大して示す図である。図１８に示すように、引出部７では、右側レール基板９０に設けられた複数の係合部９７が、引出部本体７１の右側の段差部に設けられた複数の開口部７１３にそれぞれ係合している。また、右側レール基板９０に設けられた複数の凹部９９（図１７参照）に、引出部本体７１の右側の段差部に設けられた複数の凸部７１５がそれぞれ嵌合している。これにより、右側レール基板９０は引出部本体７１の右側の段差部に取り付けられている。
【００４９】
同様に、左側レール基板８０に設けられた複数の係合部が、引出部本体７１の左側の段差部に設けられた複数の開口部にそれぞれ係合している。また、左側レール基板８０に設けられた複数の凹部に、引出部本体７１の左側の段差部に設けられた複数の凸部がそれぞれ嵌合している。これにより、左側レール基板８０は引出部本体７１の左側の段差部に取り付けられている。
【００５０】
＜動作＞
次に、引出部７の出し入れの動作例について説明する。
図１９は、引出部７がフレームユニット１０に出し入れ自在に収容されている状態を示す斜視図である。図１９において、引出部７の左側レール基板が有するローラー（以下、引出部７の左側ローラーともいう。）は、フレームユニット１０の左側面に取り付けられた側板５の上側レール部の下面と、フレームユニット１０の左底梁部の下側レール部の上面との間に配置されている。また、引出部７の右側レール基板９０が有するローラー（以下、引出部７の右側ローラーともいう。）は、フレームユニット１０の右側面に取り付けられた側板５の上側レール部５５の下面と、フレームユニット１０の右底梁部の下側レール部の上面との間に配置されている。
【００５１】
また、図１９において、左側転動部材のローラー（以下、フレームユニット１０の左側ローラーともいう。）は左側レール基板のレール部を下側から支持した状態で回転することが可能となっている。前面右側転動部材３０のローラー（以下、フレームユニット１０の右側ローラーともいう。）は右側レール基板９０のレール部を下側から支持した状態で回転することが可能となっている。
これにより、引出部７を出し入れすると、引出部７の左側ローラーは、上側レール部と下側レール部とに案内されてチェスト本体前後方向に転動する（すなわち、回転しながら動く）。同様に、引出部７の右側ローラーも、上側レール部と下側レール部とに案内されてチェスト本体前後方向に転動する。
【００５２】
ここで、引出部７を出し入れする際に、引出部７の重心が、フレームユニット１０の左側ローラーとフレームユニット１０の右側ローラーとを結ぶ位置よりも、チェスト本体前後方向の後側にある場合は、引出部７は後ろのめりとなる。このため、引出部７の左側ローラーは左底梁部の下側レール部に押し当てられた状態で転動し、引出部７の右側ローラーは右底梁部の下側レール部に押し当てられた状態で転動する。つまり、引出部７の左側ローラーと引出部７の右側ローラーは、下側レール部に案内されて転動する。
【００５３】
一方、引出部７の重心が、フレームユニット１０の左側ローラーとフレームユニット１０の右側ローラーとを結ぶ位置よりも、チェスト本体前後方向の前側にある場合は、引出部７は前のめりとなる。このため、引出部７の左側ローラーは、フレームユニット１０の左側面に配置された側板５の上側レール部に接触した状態で転動する。また、引出部７の右側ローラーは、フレームユニット１０の右側面に配置された側板５の上側レール部に接触した状態で転動する。つまり、引出部７の左側ローラーと引出部７の右側ローラーは、上側レール部に案内されて転動する。
【００５４】
＜対応関係＞
この実施形態では、前面左側支柱１１及び前面右側支柱１２が本考案の「第１の支柱」に対応し、後面左側支柱１３及び後面右側支柱１４が本考案の「第２の支柱」に対応している。また、上側レール部５５が本考案の「第１のレール部」に対応し、下側レール部１５１、１６１が本考案の「第２のレール部」に対応している。また、左側底梁部１５及び右側底梁部１６が本考案の「底梁部」に対応している。また、溝部１５３、１６３が本考案の「凹部」に対応している。また、側板５が本考案の「チェスト用側板」に対応している。
＜実施形態の効果＞
本考案の実施形態は、以下の効果を奏する。
（１）フレームユニット１０の左右の側に取り付けられる側板５の内側面５ａに、引出部７の出し入れのための移動を案内するガイド部５３が設けられている。これにより、チェスト本体への引出部７の出し入れを操作性よく行うことができる。
（２）また、上記のガイド部５３は、側板５の内側面５ａに設けられている。ここで、側板５は、フレームユニット１０よりも構造が簡単でサイズも小さくて済む。このため、側板５にガイド部５３を設けても、側板５を形成するための金型の構造はそれほど複雑とはならず、ガイド部５３を有する側板５を金型を用いた射出成型技術で容易に形成することができる。これにより、ガイド部をフレームユニットに設ける場合と比べて、チェストの製造コストの増大を抑制することができる（すなわち、安価に製造することが可能である）。
【００５５】
（３）また、側板５とフレームユニット１０は別々に形成される。側板とフレームユニットとが一体で形成される場合と比べても、側板５とフレームユニット１０とを形成するための金型の構造を簡単することができる。これにより、チェストの製造コストの増大を抑制することができる。
（４）また、フレームユニット１０の左側底梁部１５に下側レール部１５１が設けられており、右側底梁部１６に下側レール部１６１が設けられている。これにより、引出部７の重心がチェスト本体前後方向の後ろ側にあり、引出部７の左側ローラーと右側ローラー９３とがそれぞれ上側レール部５５から離れている場合でも、引出部７の左側ローラーと右側ローラー９３とを下側レール部１５１、１６１でそれぞれ案内することができる。したがって、チェスト本体１０への引出部７の出し入れをさらに操作性よく行うことができる。
【００５６】
（５）また、側板５のガイド部５３は、側板５のチェスト本体前後方向の前側から後側まで連続して設けられている。これにより、フレームユニット１０の左側面に取り付けられる側板と、フレームユニット１０の右側面に取り付けられる側板とを共通化することができる。左右の側板が共通化されていない場合と比べて、側板を形成するための金型の種類を減らすことができるので、側板の製造コストを抑制することができる。
【００５７】
（６）また、左側底梁部１５の上面１５ａには溝部１５３が形成されている。側板５の上側レール部５５の下面５５ｂ  には凸部５９が形成されている。そして、溝部１５３に凸部５９が挿入されると、凸部５９のストッパ部５９２が溝部１５３の上側の開口縁部に係止される。これにより、側板５は左側底梁部１５に固定され、チェスト本体上下方向で、側板５がフレームユニット１０から外れないようにすることができる。例えば、引出部７を出し入れする際に、引出部７の左側ローラーが側板５の上側レール部５５に接触して上方へ押し上げようとする場合でも、ストッパ部５９２が溝部１５３に係止されているため、側板５がフレームユニット１０の左側面から外れることを防ぐことができる。
【００５８】
同様に、右側底梁部１６の上面１６ａにも溝部１６３が形成されている。この溝部１６３に上側レール部５５の凸部５９が挿入されると、凸部５９のストッパ部５９２が溝部１５３の上側の開口縁部に係止される。これにより、側板５は右側底梁部１６に固定され、チェスト本体上下方向で、側板５がフレームユニット１０から外れないようにすることができる。
【００５９】
（７）また、チェスト本体１０の左側面では、側板５の第１の取付部６１がチェスト本体前後方向で前面左側支柱１１を挟み込み、側板５の第２の取付部６６がチェスト本体前後方向で後面左側支柱１３を挟み込む。チェスト本体の左側面では、側板５の第１の取付部６１がチェスト本体前後方向で後面右側支柱１４を挟み込み、側板５の第２の取付部６６がチェスト本体前後方向で前面右側支柱１２を挟み込む。これにより、チェスト本体前後方向で、前面左側支柱１１と後面左側支柱１３とが側板５で固定されると共に、前面右側支柱１２と後面右側支柱１４とが側板５で固定されるので、フレームユニット１０の剛性を高めることができる。
【００６０】
（８）引出部７の左側部の外周面に左側レール基板８０が取り付けられ、引出部７の右側部の外周面に右側レール基板９０が取り付けられている。左側レール基板８０及び右側レール基板９０のそれぞれの取付位置は、引出部７の底面ではなく、引出部７の側部の外周面である。これにより、レール基板が引出部７の直下に位置する他の引出部７の前面板７３や、この他の引出部７に収容された衣類や小物等に接触することを防ぐことができるので、引出部７の出し入れを操作性よく行うことができる。また、レール基板の厚さを考慮して引出部の深さを全体的に浅くしたり、引出部の上下方向の配置間隔を大きくしたりしないで済むため、チェストの収納効率の低下を抑制することができる。
【００６１】
（９）また、引出部７の右側部には下側を向く開口部７１３が設けられ、右側レール基板９０には上側を向いて開口部７１３に係合する係合部９７が設けられている。これにより、引出部７に右側レール基板９０を取り付ける取付工程では、引出部本体７１を上下ひっくり返した状態（すなわち、引出部本体７１の底面を上方に向けた状態）で、引出部本体７１の開口部７１３にレール基板９０の係合部９７を上側から挿入することで、レール基板９０を引出部本体７１に取り付けることができる。左側レール基板８０の取付工程も同様である。このように、引出部本体７１へのレール基板の取付けを容易に行うことができる。
【００６２】
（１０）前面左側支柱１１の内側面１１ａには、係合部１１０の上側係合部１１１と下側係合部１１６とが設けられている。前面左側転動部材２０をチェスト本体１に取り付ける取付工程では、チェスト本体１の前面側から上側係合部１１１と下側係合部１１６との間のスペースに支持部材２２を入り込ませて、支持部材２２を係合部１１０に係合させる。
チェスト本体１の前面側から支持部材２２を押し込むだけで、チェスト本体１に前面左側転動部材２０を取り付けることができる。この取付に螺子は不要である。前面右側転動部材３０の取付工程も同様である。したがって、チェスト本体１への転動部材の取付作業を容易に実行することができる。
【００６３】
（１１）また、チェスト本体１への転動部材の取付作業は、チェスト本体１の前面側から行う。ここで、チェスト本体１の前面側には、取付作業の障りとなるような他の構成物（例えば、天板や他の枠体）は存在せず、取付装置を配置するためのスペースを容易に確保することができる。したがって、チェスト本体１への前面左側転動部材２０と前面右側転動部材３０との取付作業を、取付装置を用いて自動で行う（すなわち、自動化する）ことも可能である。
【００６４】
（１２）側板５は、前面左側支柱１１の外側面から後面左側支柱１３の外側面まで（または、前面右側支柱１２の外側面から後面右側支柱１４の外側面まで）を連続して覆う形状に形成されている。作業者は、側板５の側部を手に持った状態で、側板５をチェスト本体１に取り付けてもよい。ここで、側板５のチェスト本体前後方向の前方や後方には、側板５の取付作業の障りとなるような他のチェスト構成物（例えば、支柱等）は存在せず、側板５の側部を支える作業者の指が側板５と他のチェスト構成物との間に挟まれる可能性はほとんどない。したがって、チェスト本体１への側板５の取付作業を容易に実行することができる。
【００６５】
（１３）また、側板５の取付作業を、取付装置を用いて自動化してもよい。その場合は、側板５の側部を取付装置のアームで支えるようにしてもよい。側板５のチェスト本体前後方向の前方や後方に、取付作業の障りとなるような他のチェスト構成物は存在せず、アームを配置するためのスペースを容易に確保することができる。したがって、側板５の取付作業を容易に自動化することができる。
（１４）また、側板５は、前面左側支柱１１の外側面から後面左側支柱１３の外側面まで（または、前面右側支柱１２の外側面から後面右側支柱１４の外側面まで）を連続して覆っている。側板５の下から各支柱の外側面は露出せず、チェスト本体１の左右の側は側板５で覆われている。これにより、チェストの外観性を高めることができる。
【００６６】
＜変形例＞
上記の実施形態では、収納部を５個積層した（すなわち、５段の）チェストについて説明した。しかしながら、本考案において、チェストが備える収納部の数は５個に限定されるものではなく、１個以上であればよい。すなわち、本考案に係るチェストは、１段でも、２段以上でもよい。このような場合でも、上記した実施形態の効果を奏する。
＜その他＞
本考案は、以上に記載した実施形態や変形例に限定されるものではない。当業者の知識に基づいて実施形態や変形例に設計の変更を加えてもよく、そのような変更等が加えられた態様も本考案の技術的範囲に含まれる。
【符号の説明】
【００６７】
１  チェスト本体
５  側板
５ａ  内側面
７  引出部
９  天板
１０  フレームユニット
１１  前面左側支柱
１１ａ、１２ａ、１３ａ、１４ａ  内側面
１２  前面右側支柱
１３  後面左側支柱
１４  後面右側支柱
１５  左側底梁部
１５ａ、１６ａ  上面
１６  右側底梁部
１７  前側底梁部
１８  後側底梁部
２０  前面左側転動部材
２１、３１  ローラー
２２、３２  支持部材
２３、３３  軸部
２４、３４  第１ストッパ部
２５、３５  第２ストッパ部
３０  前面右側転動部材
５１  側板本体
５３  ガイド部
５５  上側レール部
５５ａ  上面
５５ｂ  下面
５７  補強部
５９  凸部
６１  第１の取付部
６２、６３  係止板
６６  第２の取付部
６７、６８  係止板
６９  掛止部
７１  引出部本体
７３  前面板
８０  左側レール基板
９０  右側レール基板
９１  レール基板本体
９３  ローラー
９５  レール部
９７  係合部
９９  凹部
１００  チェスト
１１０、１２０         係合部
１０１〜１０４         連結用凸部
１１１、１２１         上側係合部
１１２、１２２  第１開口部
１１６、１２６         下側係合部
１１７ 、１２７  第２開口部
１５１、１６１  下側レール部
１５１ａ、１６１ａ  上面
１５３、１６３         溝部
５７１  補強板
５７１ａ  内側面
５７１ｂ  外側面
５７２  補強片
５９１  係合部
５９２  ストッパ部
６２１、６７１  爪部
７１１  段差部
７１３  開口部
７１５  凸部
【図１】
0003197307.tif 000003
【図２】
0003197307.tif 000004
【図３】
0003197307.tif 000005
【図４】
0003197307.tif 000006
【図５】
0003197307.tif 000007
【図６】
0003197307.tif 000008
【図７】
0003197307.tif 000009
【図８】
0003197307.tif 000010
【図９】
0003197307.tif 000011
【図１０】
0003197307.tif 000012
【図１１】
0003197307.tif 000013
【図１２】
0003197307.tif 000014
【図１３】
0003197307.tif 000015
【図１４】
0003197307.tif 000016
【図１５】
0003197307.tif 000017
【図１６】
0003197307.tif 000018
【図１７】
0003197307.tif 000019
【図１８】
0003197307.tif 000020
【図１９】
0003197307.tif 000021